(57)【特許請求の範囲】
【請求項１】
被取付面に取り付けられる器具本体と、
前記器具本体の中央部に配置された給電部と、
前記被取付面に対向する被照射面に向う方向を下方とする場合に、前記器具本体の下側に配置されて、下方に光を照射する主光源と、
前記器具本体の上側であって、前記器具本体が前記被取付面に取り付けられた場合に、前記器具本体と前記被取付面との間に位置するよう設けられ、前記器具本体の中央から離れる側である外側に光を照射する、間接照明用の複数の間接光源と、
前記給電部から供給される電力により、前記主光源および前記複数の間接光源の発光を制御する制御部と、
を有し、
前記複数の間接光源の各々は、平面視で、前記器具本体の中央部を中心とする円に沿うように配置され、
前記複数の間接光源は、隣接する間接光源間の間隔が第１の間隔である第１群の間接光源と、隣接する間接光源間の間隔が、前記第１の間隔よりも小さい第２の間隔である第２群の間接光源と、を有する照明器具。
【請求項２】
請求項１に記載の照明器具において、
前記複数の間接光源のうちの少なくとも一つの光量が、他の間接光源の光量よりも大きい照明器具。
【発明の詳細な説明】
【技術分野】
【０００１】
本発明は、天井面等に取り付けて主に下方を照明する主光源と、天井面等を照明する間接光源とを有する照明器具に関するものである。
【背景技術】
【０００２】
従来より、天井面等に取り付けて主に下方を照明する主光源と、天井面等を照明する間接光源とを有する照明器具が知られている（例えば、特許文献１参照）。
図１２に示すように、特許文献１に記載の照明器具１００は、例えば引掛シーリングによって天井面に固定される器具本体１０１と、器具本体１０１を囲む環形状であって器具本体１０１の外周部に支持される枠体１０２とを備える。
器具本体１０１の下面には、下方に光を放射する直接照明用光源としての環形状の蛍光灯（図示省略）が装着される。また、枠体２の上面には、間接照明用光源としての発光ダイオード素子（以後、ＬＥＤという。）１０３を有するＬＥＤブロック１０４が取り付けられている。
従って、蛍光灯が下方を照明し、ＬＥＤブロック１０４が上方や水平方向の外側を照明する。
【先行技術文献】
【特許文献】
【０００３】
【特許文献１】特許第４７７９６８５号公報（第４図）
【発明の概要】
【発明が解決しようとする課題】
【０００４】
しかしながら、従来の照明器具１００においては、器具本体１０１の外側に枠体１０２を設け、枠体１０２の上面にＬＥＤブロック１０４を取り付けたので、器具の大型化を招くという問題があった。
また、ＬＥＤブロック１０４が、器具本体１０１の外周縁部に設けられているので、目視されやすく、眩しいという問題があった。
【０００５】
本発明は、従来の問題を解決するためになされたもので、器具の大型化を招くことなく間接照明を取り付けることができ、グレアを防止できる照明器具を提供することを目的とする。
【課題を解決するための手段】
【０００７】
本発明の照明器具は、被取付面に取り付けられる器具本体と、前記器具本体の中央部に配置された給電部と、前記被取付面に対向する被照射面に向う方向を下方とする場合に、前記器具本体の下側に配置されて、下方に光を照射する主光源と、前記器具本体の上側であって、前記器具本体が前記被取付面に取り付けられた場合に、前記器具本体と前記被取付面との間に位置するよう設けられ、前記器具本体の中央から離れる側である外側に光を照射する、間接照明用の複数の間接光源と、前記給電部から供給される電力により、前記主光源および前記複数の間接光源の発光を制御する制御部と、を有し、前記複数の間接光源の各々は、平面視で、前記器具本体の中央部を中心とする円に沿うように配置され、前記複数の間接光源は、隣接する間接光源間の間隔が第１の間隔である第１群の間接光源と、隣接する間接光源間の間隔が、前記第１の間隔よりも小さい第２の間隔である第２群の間接光源と、を有するものである。
【０００８】
さらに、本発明の照明器具は、前記複数の間接光源のうちの少なくとも一つの光量が、他の間接光源の光量よりも大きいものである。
【発明の効果】
【０００９】
本発明では、間接光源は、器具本体と天井面との間に設けられるので、器具の大型化を防止できる。また、器具本体の上面から天井面を照明するので、間接光源は直接見えず、グレアを防止できる。また、間接光源が前記中央部に対して平面視で略均等に配置されているので、器具をどのような向きに取り付けても、部屋全体を照明することができ、部屋の明るさ感が向上するという効果を有する照明器具を提供できる。
【図面の簡単な説明】
【００１０】
【図１】（Ａ）は本発明に係る第１実施形態の照明器具の断面図であり、（Ｂ）は下方から見た底面図
【図２】本発明に係る第１実施形態の照明器具の分解斜視図
【図３】（Ａ）は枠部を下方から見た底面図であり、（Ｂ）は（Ａ）中Ｂ−Ｂ位置の断面図
【図４】図２中ＩＶ部分の拡大図
【図５】図２中Ｖ部分の拡大図
【図６】（Ａ）は４個のアッパーユニットを取り付けた器具本体の上面の平面図であり、（Ｂ）は８個のアッパーユニットを取り付けた場合の平面図
【図７】本発明に係る第２実施形態の照明器具におけるアッパーユニットを５個設けた場合の配置を示す上面から見た平面図
【図８】第２実施形態の照明器具における上カバーの形状を示す平面図
【図９】第２実施形態の照明器具による上下方向の配光状態を示す説明図
【図１０】第２実施形態の照明器具による水平面の配光状態を示す説明図
【図１１】第２実施形態の照明器具による水平面の別の配光状態を示す説明図
【図１２】従来の照明器具を上方から見た平面図
【発明を実施するための形態】
【００１１】
（第１実施形態）
以下、本発明に係る第１実施形態の照明器具について、図面を用いて説明する。
なお、以下の説明においては、照明器具を天井面に取り付けて下方を照明する場合について説明する。従って、特に示す場合を除き、上（上方、上側等）は天井面側を意味し、下（下方，下側等）は床面側を意味する。
【００１２】
図１（Ａ）および（Ｂ）に示すように、本発明に係る第１実施形態の照明器具１０は、天井面１１等に取り付けられて主に下方を照明するのに適する。
図２にも示すように、照明器具１０は、天井面１１に取り付けられている引掛シーリング１２に取り付けるための取付金具（給電部）２１を中央に有する例えば円板状の器具本体２０を有する。また、器具本体２０の中央部における取付金具２１の近傍には、取付金具２１から電力の供給を受けて、後述する複数の光源を制御する制御部２３が設けられている。
なお、器具本体２０の外周には、円環状の枠部２２が設けられており、枠部２２には補助光源７０が設けられている。
【００１３】
器具本体２０の上側（すなわち、天井面１１側）には、アッパーユニット（間接光源）３０、上枠３２および上カバー３１が設けられている。また、器具本体２０の下側（すなわち、照明方向側）には、ＬＥＤユニットであるロアーユニット（主光源）４０、主光源用の光学部材であるレンズ６０が設けられている。
【００１４】
ロアーユニット４０は、器具本体２０の円形を複数個に分割した部分円弧状の基板４１を有しており、各基板４１には、複数のＬＥＤ４２が実装されている。各基板４１は制御部２３に接続されており、各ロアーユニット４０は、制御部２３の制御により下方に向けて光を照射する。
ロアーユニット４０の前方には、ロアーユニット４０が発した光を受けて光を拡散する透光性のパネル（透過部材）５０が設けられている。パネル５０は、枠部２２に取り付けられる。パネル５０は、下方に湾曲した曲面形状をしている。
【００１５】
図３（Ａ）に示すように、枠部２２は円環状をしており、内部にはパネル５０が嵌まる空間２２１を有する。枠部２２の表面（下面）２２２は、中心に向かって下方へ傾斜しており、所定間隔（ここでは、中心角１２０度）で、補助光源７０用の開口部２２３が設けられている。開口部２２３は、枠部２２の外形に対応して、湾曲して設けられている。
また、枠部２２の表面（下面）２２２には、エコナビセンサー用開口２２４，エコナビランプ用開口２２５および節電ランプ用開口２２６が設けられている。
なお、エコナビセンサー２４１、エコナビランプ２４２および節電ランプ２４３は、器具本体２０に取り付けられているブラケット２４に取り付けられている（図２参照）。
【００１６】
図３（Ｂ）および図４に示すように、補助光源７０は、ＬＥＤ７１を実装した基板７２と、基板７２を取り付ける取付板７３と、ＬＥＤ７１の前方を覆う補助光源用レンズ（光学部材）７４を有する。
基板７２、取付板７３および補助光源用レンズ７４は、枠部２２の外形（円形）に合わせて湾曲している。
また、補助光源用レンズ７４の表面７４１は、枠部２２の表面２２２に沿った形状として、枠部２２の表面２２２から突出しないようにする。
【００１７】
そして、補助光源７０から出射される光が、パネル５０に照射されないようにする。このとき、パネル５０は、中央部が高くなっているので、光がパネル５０の頂部に当たらず、且つ、照射範囲を広げるように、開口部２２３の内縁部に設けるテーパ２２７の傾斜角度θを設定する。
【００１８】
図５に示すように、アッパーユニット３０は、ＬＥＤ３３を実装する基板３４と、基板３４を器具本体２０の上面に取り付けるための取付部３５と、ＬＥＤ３３の前面を覆うレンズ３６を有する。
取付部３５は全体Ｌ字形状をしており、基板３４およびレンズ３６を、器具本体２０の上面に直交するように取り付ける。従ってＬＥＤ３３からの光は、器具本体２０の上面と平行に外側へ向けて出射される。
【００１９】
図６（Ａ）および（Ｂ）に示すように、器具本体２０の上面２０１には、アッパーユニット３０が取付金具２１に対して平面視で略均等に設けられている。
図６（Ａ）に示すように、４個のアッパーユニット３０を設ける場合、中心角９０度で配置する。また、図６（Ｂ）に示すように、８個のアッパーユニット３０を設ける場合、中心角４５度で配置する。
なお、アッパーユニット３０の数は限定するものではなく、任意である。
また、特定の方向を明るく照明したい場合には、アッパーユニット３０のうちの少なくとも一つの光量を、他のアッパーユニット３０の光量よりも大きくすることができる。
【００２０】
以上、説明した本発明に係る第１実施形態の照明器具１０によれば、天井面１１に取り付けられる器具本体２０の中央部には、取付金具２１を有し、取付金具２１から供給される電力により制御する制御部２３を有する。また、制御部２３により制御される複数の光源として、器具本体２０の下面中央部に設けられたロアーユニット４０と、器具本体２０の上面に設けられた補助光源７０とを有する。
補助光源７０は、器具本体２０の外周の枠部２２に設けられているので、器具の小型化が可能になり、意匠性が向上する。また、ロアーユニット４０の周囲に補助光源７０を配置したので、器具の直下の照度を上げることができる。
【００２１】
また、補助光源７０の表面が、枠部２２の表面に沿った形状となっており、補助光源７０が突出しないので、意匠性が向上する。
【００２２】
また、ロアーユニット４０をパネル５０で覆うとともに、補助光源７０から出射される光がロアーユニット４０のパネル５０に照射されないようにした。このため、ロアーユニット４０を消灯して補助光源７０を点灯しても、補助光源７０からの光はパネル５０に照射されないので、補助光源７０の点灯時における外観性を向上できる。また、補助光源７０からの光がパネル５０に遮られないので、光束の損失がない。さらに、部屋に照射された光に、違和感のある影を作るのを防止できる。
【００２３】
また、補助光源７０が、枠部２２の外形に沿う形状を有するので、大型化を防止するとともに、意匠性の向上を図れる。
【００２４】
また、補助光源７０が、補助光源用レンズ７４を有するので、補助光源用レンズ７４を選択することにより、器具の直下に光を集光させることができる。あるいは、光を拡散させることもできる。
また、ロアーユニット４０とは別の用途の補助光源用レンズ７４を用いることにより、部屋の雰囲気や快適性を変更することができる。
【００２５】
以上、説明した本発明に係る第１実施形態の照明器具１０によれば、天井面１１に取り付けられる器具本体２０の中央部には、取付金具２１を有し、取付金具２１から供給される電力により制御する制御部２３を有する。また、制御部２３により制御される複数の光源として、器具本体２０の中央部に設けられたロアーユニット４０と、アッパーユニット３０とを有する。
アッパーユニット３０は、器具本体２０と天井面１１との間に設けられて天井面１１を照明するので、アッパーユニット３０は直接見えず、グレアを防止できる。また、アッパーユニット３０が取付金具２１に対して平面視で略均等に配置されているので、器具をどのような向きに取り付けても、部屋全体を照明することができ、部屋の明るさ感が向上する。
【００２６】
また、アッパーユニット３０のうちの少なくとも一つの光量が，他のアッパーユニット３０の光量よりも大きく設定することにより、特定の方向の光量を上げることができる。これにより、配光効率を向上させることができる。また、部屋の雰囲気を変えることができる。
【００２７】
（第２実施形態）
次に、本発明に係る第２実施形態の照明器具について、図面を用いて説明する。
なお、前述した第１実施形態に係る照明器具１０と共通する部位には同じ符号を付して、重複する説明を省略することとする。
図７に示すように、第２実施形態の照明器具１０Ｂでは、アッパーユニット３０のうちの少なくとも二つが、平面視で偏っている。
すなわち、アッパーユニット３０は、３個のアッパーユニット３０Ａからなる第１群と、２個のアッパーユニット３０Ｂからなる第２群を有する。ここでは、第２群を、エコナビセンサー２４１側に設定する。
【００２８】
そして、第２群における２個のアッパーユニット３０Ｂの間隔を第１群における３個のアッパーユニット３０Ｂの間隔と異なるように偏らせている。
第１群における３個のアッパーユニット３０Ａの間隔および第１群と第２群との間隔を中心角θ１とし、第２群における２個のアッパーユニット３０Ｂの間隔を中心角θ２とする。従って、第２群における２個のアッパーユニット３０Ｂの間隔を小さくする場合、θ１＞θ２である。
例えば、θ１＝７６．５度とすると、θ２＝５４度となる。
なお、５個のアッパーユニット３０が、同一円内に収容されるように配置すると、間隔を狭めた第２群のアッパーユニット３０Ｂは、中心からの距離が遠くなる。このため、図８に示すように、上カバー３１を図８中上側へ延ばした略長円形状とするのが望ましい。
【００２９】
図９に示すように、上述した照明器具１０Ｂを、天井面１１の中央に取り付け、第２群をテレビＴＶ側に向けた。
この場合、第２群の２個のアッパーユニット３０Ｂの間隔が近いとともに、テレビＴＶ側に近寄っているので、テレビＴＶ側である第２群の照射範囲Ｂは、テレビＴＶと反対側の第１群の照射範囲Ａに比して、広くなっている。
【００３０】
図１０には、第２群の２個のアッパーユニット３０Ｂを離した場合の配光状態が示されている。
第１群のアッパーユニット３０Ａの照射範囲ＲＡ１，ＲＡ２，ＲＡ３および第２群のアッパーユニット３０Ｂの照射範囲ＲＢ１、ＲＢ２により、部屋の全ての壁面が照明される。
【００３１】
図１１には、テレビＴＶの位置を部屋の隅に移動させた場合の配光状態が示されている。
この場合には、照明器具１０Ｂの向きをテレビＴＶに向けているが、第１群のアッパーユニット３０Ａの照射範囲ＲＡ１，ＲＡ２，ＲＡ３および第２群のアッパーユニット３０Ｂの照射範囲ＲＢ１、ＲＢ２により、部屋の全ての壁面が照明される。
【００３２】
以上、説明した本発明に係る第２実施形態の照明器具１０Ｂによれば、天井面１１に取り付けられる器具本体２０の中央部には、取付金具２１を有し、取付金具２１から供給される電力により制御する制御部２３を有する。制御部２３により制御される複数の光源として、器具本体２０の中央部に設けられたロアーユニット４０と、アッパーユニット３０とを有する。
アッパーユニット３０のうちの少なくとも二つが平面視で偏っているので、アッパーユニット３０を近づけることにより、特定の方向の光量を上げることができる。
【００３３】
また、アッパーユニット３０のうちの少なくとも一つの光量が，他のアッパーユニット３０の光量よりも大きいので、特定の方向の光量を上げることができる。これにより、配光効率を向上させることができる。また、部屋の雰囲気を変えることができる。
【００３４】
なお、本発明の照明器具は、前述した各実施形態に限定されるものでなく、適宜な変形，改良等が可能である。
【符号の説明】
【００３５】
１０，１０Ｂ  照明器具
１１  天井面
２０  器具本体
２１  取付金具（給電部）
２３  制御部
３０  アッパーユニット（間接光源）
４０  ロアーユニット（主光源）
【図１】
0005975323.tif 000002
【図２】
0005975323.tif 000003
【図３】
0005975323.tif 000004
【図４】
0005975323.tif 000005
【図５】
0005975323.tif 000006
【図６】
0005975323.tif 000007
【図７】
0005975323.tif 000008
【図８】
0005975323.tif 000009
【図９】
0005975323.tif 000010
【図１０】
0005975323.tif 000011
【図１１】
0005975323.tif 000012
【図１２】
0005975323.tif 000013